(57)【要約】      （修正有）【課題】幅狭紙に印刷を行う際に、印刷モードを適切に設定するために要するユーザの負荷を軽減させる印刷装置を提供する。【解決手段】幅狭紙に印刷を行う際に、印刷ジョブのページ数に応じて、適切な印刷モードを選択して印刷を行う。具体的には、印刷ジョブのページ数が閾値より小さい場合には、初期生産優先モードで全ページの印刷を行い、印刷ジョブのページ数が閾値より大きい場合には、固定生産モードで全ページの印刷を行う。【選択図】図６
2015230470.tif 000002
【特許請求の範囲】
【請求項１】
定着部のターゲット温度を第１の温度にして印刷を行う第１の印刷モードと、定着部のターゲット温度を前記第１の温度より低い第２の温度にして印刷を行う第２の印刷モードを有する印刷装置であって、
印刷ジョブを入力する入力手段と、
前記印刷ジョブの実行前に、前記印刷ジョブで印刷すべきページ数を取得する取得手段と、
前記印刷ジョブで印刷すべきページ数が所定値より小さい場合に、前記印刷ジョブを前記第１の印刷モードで実行するように制御し、前記印刷ジョブで印刷すべきページ数が所定値より大きい場合に、前記印刷ジョブを前記第１の印刷モードで実行するように制御する制御手段と、
を有することを特徴とする印刷装置。
【請求項２】
前記制御手段は、前記印刷ジョブで使用すべき用紙のサイズが特殊なものである場合において、前記印刷ジョブで印刷すべきページ数が所定値より小さい場合に、前記印刷ジョブを前記第１の印刷モードで実行するように制御し、前記印刷ジョブで印刷すべきページ数が所定値より大きい場合に、前記印刷ジョブを前記第１の印刷モードで実行するように制御することを特徴とする請求項１に記載の印刷装置。
【請求項３】
前記印刷装置は、定着部のターゲット温度を前記第１の温度より高い第３の温度にして印刷を行う第３の印刷モードを更に有し、
前記制御手段は、前記印刷ジョブで使用すべき用紙のサイズが特殊でないものである場合において、前記印刷ジョブを前記第３の印刷モードで実行するように制御することを特徴とする請求項１又は２に記載の印刷装置。
【請求項４】
前記制御手段は、前記印刷ジョブの実行中に、使用すべき用紙のサイズが特殊なものに変更になった場合において、未印刷のページ数が所定値より小さい場合には、前記第１の印刷モードを設定し、未印刷のページ数が所定値より大きい場合には、前記第２の印刷モードを設定することを特徴とする請求項１乃至３の何れか１項に記載の印刷装置。
【請求項５】
前記印刷装置は、定着器の端部昇温を抑制しない第３の印刷モードを更に有し、
前記制御手段は、前記印刷ジョブの実行中に、使用すべき用紙のサイズが特殊でないものに変更になった場合において、前記第３の印刷モードを設定することを特徴とする請求項１乃至４の何れか１項に記載の印刷装置。
【請求項６】
定着部のターゲット温度を第１の温度にして印刷を行う第１の印刷モードと、定着部のターゲット温度を前記第１の温度より低い第２の温度にして印刷を行う第２の印刷モードを有する印刷装置であって、
印刷ジョブを入力する入力手段と、
前記印刷ジョブの実行中に、前記印刷ジョブによる印刷済のページ数を計測する計測手段と、
前記印刷ジョブによる印刷済のページ数が所定値に達するまで、前記印刷ジョブを前記第１の印刷モードで実行するように制御し、前記印刷ジョブによる印刷済のページ数が所定値に達したら、前記印刷ジョブを前記第２の印刷モードで実行するように制御する制御手段と、
を有することを特徴とする印刷装置。
【請求項７】
前記制御手段は、前記印刷ジョブで使用すべき用紙のサイズが特殊なものである場合において、前記印刷ジョブによる印刷済のページ数が所定値に達するまで、前記印刷ジョブを前記第１の印刷モードで実行するように制御し、前記印刷ジョブによる印刷済のページ数が所定値に達したら、前記印刷ジョブを前記第２の印刷モードで実行するように制御することを特徴とする請求項６に記載の印刷装置。
【請求項８】
前記印刷装置は、定着部のターゲット温度を前記第１の温度より高い第３の温度にして印刷を行う第３の印刷モードを更に有し、
前記制御手段は、前記印刷ジョブで使用すべき用紙のサイズが特殊でないものである場合において、前記印刷ジョブを前記第３の印刷モードで実行するように制御することを特徴とする請求項６又は７に記載の印刷装置。
【請求項９】
前記制御手段は、前記印刷ジョブの実行中に、使用すべき用紙のサイズが特殊なものに変更になった場合において、印刷済のページ数が所定値より大きい場合には、前記第１の印刷モードを設定し、印刷済のページ数が所定値より小さい場合には、前記第２の印刷モードを設定することを特徴とする請求項６乃至８の何れか１項に記載の印刷装置。
【請求項１０】
前記印刷装置は、定着器の端部昇温を抑制しない第３の印刷モードを更に有し、
前記制御手段は、前記印刷ジョブの実行中に、使用すべき用紙のサイズが特殊でないものに変更になった場合において、前記第３の印刷モードを設定することを特徴とする請求項６乃至９の何れか１項に記載の印刷装置。
【請求項１１】
定着部のターゲット温度を第１の温度にして印刷を行う第１の印刷モードと、定着部のターゲット温度を前記第１の温度より低い第２の温度にして印刷を行う第２の印刷モードを有する印刷装置の制御方法であって、
印刷ジョブを入力する入力工程と、
前記印刷ジョブの実行前に、前記印刷ジョブで印刷すべきページ数を取得する取得工程と、
前記印刷ジョブで印刷すべきページ数が所定値より小さい場合に、前記印刷ジョブを前記第１の印刷モードで実行するように制御し、前記印刷ジョブで印刷すべきページ数が所定値より大きい場合に、前記印刷ジョブを前記第１の印刷モードで実行するように制御する制御工程と、
を有することを特徴とする制御方法。
【請求項１２】
定着部のターゲット温度を第１の温度にして印刷を行う第１の印刷モードと、定着部のターゲット温度を前記第１の温度より低い第２の温度にして印刷を行う第２の印刷モードを有する印刷装置の制御方法であって、
印刷ジョブを入力する入力工程と、
前記印刷ジョブの実行中に、前記印刷ジョブによる印刷済のページ数を計測する計測工程と、
前記印刷ジョブによる印刷済のページ数が所定値に達するまで、前記印刷ジョブを前記第１の印刷モードで実行するように制御し、前記印刷ジョブによる印刷済のページ数が所定値に達したら、前記印刷ジョブを前記第２の印刷モードで実行するように制御する制御工程と、
を有することを特徴とする制御方法。
【請求項１３】
定着部のターゲット温度を第１の温度にして印刷を行う第１の印刷モードと、定着部のターゲット温度を前記第１の温度より低い第２の温度にして印刷を行う第２の印刷モードを有する印刷装置に、
印刷ジョブを入力する入力工程と、
前記印刷ジョブの実行前に、前記印刷ジョブで印刷すべきページ数を取得する取得工程と、
前記印刷ジョブで印刷すべきページ数が所定値より小さい場合に、前記印刷ジョブを前記第１の印刷モードで実行するように制御し、前記印刷ジョブで印刷すべきページ数が所定値より大きい場合に、前記印刷ジョブを前記第１の印刷モードで実行するように制御する制御工程と、
を実行させるためのプログラム。
【請求項１４】
定着部のターゲット温度を第１の温度にして印刷を行う第１の印刷モードと、定着部のターゲット温度を前記第１の温度より低い第２の温度にして印刷を行う第２の印刷モードを有する印刷装置に、
印刷ジョブを入力する入力工程と、
前記印刷ジョブの実行中に、前記印刷ジョブによる印刷済のページ数を計測する計測工程と、
前記印刷ジョブによる印刷済のページ数が所定値に達するまで、前記印刷ジョブを前記第１の印刷モードで実行するように制御し、前記印刷ジョブによる印刷済のページ数が所定値に達したら、前記印刷ジョブを前記第２の印刷モードで実行するように制御する制御工程と、
を実行させるためのプログラム。
【発明の詳細な説明】
【技術分野】
【０００１】
本発明は、印刷装置、制御方法、及びプログラムに関する。
【背景技術】
【０００２】
プリンタには、複数の印刷モードを有し、その時の状況に応じて適切な印刷モードを選択して印刷を実行するものがある。特許文献１には、複数の印刷ジョブを実行する際に、各印刷ジョブで採用すべき印刷速度と、各印刷ジョブ間で印刷速度を切り換える場合に要する時間を考慮して、総印刷時間が短くなるように、印刷速度の切り換えを適切に制御する技術が記載されている。
【０００３】
印刷に用いるシートの中には、例えば帳票用紙のように、一般的な印刷用紙と比較してシートの幅が狭くシートの長さが長い幅狭紙と呼ばれるものがある。この様な幅狭紙を用いて大量印刷を実行すると、定着器の中でシートが通過しない端部の温度が局所的に急上昇してしまう端部昇温と呼ばれる現象が発生し、印刷が継続できなくなってしまうことが多い。
【０００４】
この様な幅狭紙を用いる際に端部昇温を抑制する印刷モードとして、初期生産優先モードと固定生産モードが存在する。初期生産優先モードでは、通紙部の中心のターゲット温度を通常印刷モードより低くし、定着器の端部の温度に応じて印刷速度を可変にすることにより、端部昇温を抑制する。一方、固定生産モードでは、通紙部の中心のターゲット温度を初期生産優先モードより更に低くし、定着器の端部の温度に関わらず印刷速度を一定することにより、端部昇温を抑制する。トータルの生産性という観点で両者を比較すると、印刷ページ数が少ない印刷ジョブに対しては初期生産優先モードの方が有利であり、印刷ページ数が多い印刷ジョブに対しては固定生産モードの方が有利である。
【先行技術文献】
【特許文献】
【０００５】
【特許文献１】特開２０１２−２４５６４９
【発明の概要】
【発明が解決しようとする課題】
【０００６】
従来、幅狭紙を用いて印刷を行う際には、前述した初期生産優先モードや固定生産モードを含む複数の印刷モードの中から、ユーザが印刷モードを設定する必要があり、ユーザにとって負荷になっていた。
【０００７】
また、ユーザの手違いや知識不足によっては、適切な印刷モードが設定できないこともあり、問題となっていた。
【０００８】
本発明は、幅狭紙に印刷を行う際に、印刷モードを適切に設定するために要するユーザの負荷を軽減させることを目的とする。
【課題を解決するための手段】
【０００９】
定着部のターゲット温度を第１の温度にして印刷を行う第１の印刷モードと、定着部のターゲット温度を前記第１の温度より低い第２の温度にして印刷を行う第２の印刷モードを有する印刷装置であって、印刷ジョブを入力する入力手段と、前記印刷ジョブの実行前に、前記印刷ジョブで印刷すべきページ数を取得する取得手段と、前記印刷ジョブで印刷すべきページ数が所定値より小さい場合に、前記印刷ジョブを前記第１の印刷モードで実行するように制御し、前記印刷ジョブで印刷すべきページ数が所定値より大きい場合に、前記印刷ジョブを前記第１の印刷モードで実行するように制御する制御手段と、を有することを特徴とする印刷装置。
【発明の効果】
【００１０】
本発明により、幅狭紙に印刷を行う際に、印刷モードを適切に設定するために要するユーザの負荷を軽減させることが可能となる。
【図面の簡単な説明】
【００１１】
【図１】プリンタの断面図
【図２】プリンタの構成を示すブロック図
【図３】印刷モードそれぞれの特徴を示す表
【図４】（Ａ）各印刷モードで幅狭紙に印刷を行った場合における印刷速度の推移を示す図（Ｂ）各印刷モードで幅狭紙に印刷を行った場合における定着器の端部温度の推移を示す図
【図５】印刷ジョブの内容を示す図
【図６】画像形成装置の動作を示すフローチャート（第１の実施形態）
【図７】（Ａ）本発明を適用して幅狭紙に印刷を行った場合における印刷速度の推移を示す図（第１の実施形態）（Ｂ）本発明を適用して幅狭紙に印刷を行った場合における定着器の端部温度の推移を示す図（第１の実施形態）
【図８】画像形成装置の動作を示すフローチャート（第２の実施形態）
【図９】（Ａ）本発明を適用して幅狭紙に印刷を行った場合における印刷速度の推移を示す図（第２の実施形態）（Ｂ）本発明を適用して幅狭紙に印刷を行った場合における定着器の端部温度の推移を示す図（第２の実施形態）
【発明を実施するための形態】
【００１２】
〔第１の実施形態〕
＜印刷装置＞
図１は、プリンタの断面図である。
【００１３】
レーザドライバ１００２は、印刷データをビデオ信号に変換して出力する。
【００１４】
半導体レーザ１００３は、レーザドライバ１００２から入力したビデオ信号に応じてレーザ光を発射する。
【００１５】
レーザ光１００４は、半導体レーザ１００３により発射される。
【００１６】
回転多面鏡１００５は、レーザ光１００４を主走査方向に振る。
【００１７】
感光体１００６は、回転多面鏡１００５により主走査方向に振らされたレーザ光を受けて走査露光される。これにより、感光体１００６上には出力画像の静電潜像が形成される。
【００１８】
現像器１００７は、感光体１００６上に形成された出力画像の静電潜像を現像する。その後、出力画像は感光体１００６から用紙に転写される。
【００１９】
用紙カセット１００８は、用紙を格納する。
【００２０】
給紙ローラ１００９は、用紙カセット１００８に格納された用紙を給紙する。
【００２１】
搬送ローラ１０１０及びレジストローラ１０１１は、給紙ローラ１００９により給紙された用紙を感光体１００６に搬送する。用紙の搬送速度の調整は、搬送ローラ１０１０及びレジストローラ１０１１の回転速度を制御することにより行う。
【００２２】
定着器１０１２は、定着部であり、ヒータを備え、用紙に転写された出力画像を加熱加圧して定着させる。定着器１０１２は、定着ローラの端部の温度を感知して、その温度が規定値以上になると端部昇温を検出するためのセンサーを備える。また、定着器１０１２は、通紙部の中心の温度を感知して、その温度を所定の値に保持するように制御するためのセンサーも備える。
【００２３】
排紙ローラ１０１３は、定着器１０１２により出力画像が定着された用紙を排紙する。
図２は、プリンタの構成を示すブロック図である。
【００２４】
プリンタ１００１とＰＣ１２０は、ＬＡＮ１３０を介して相互に通信可能に接続される。
プリンタ１００１は、印刷装置（画像形成装置）の一例であり、以下の構成を有する。
【００２５】
ＣＰＵ１１０は、プリンタ１００１の制御全般を司る。
【００２６】
パネル１１１は、ユーザに各種情報を表示する。
【００２７】
操作部１１２は、ユーザから各種操作を受け付ける。
【００２８】
スキャナ１１３は、原稿を読み取って画像データを入力する。
【００２９】
プリントエンジン１１４は、用紙に画像形成を行う。
【００３０】
ＲＯＭ１１５は、プリンタ１００１のブートプログラムや制御プログラム等を記憶する。ＲＯＭ１１５は、フラッシュメモリ等ような書き換え可能な記憶媒体を用いれば、各種プログラムの更新を随時実行することが可能である。
【００３１】
ＲＡＭ１１６は、ＣＰＵ１１０のワークメモリとして機能し、ＲＯＭ１１５に記憶された各種プログラムが展開されたり、印刷データ等の各種データを一時的に記憶したりする。
【００３２】
ＨＤＤ１１７は、画像形成を行う際にラスタデータを一時的に格納したり、各種設定値を保存したりする。
【００３３】
Ｅｔｈｅｒｎｅｔ（登録商標）１１８は、ＬＡＮ１３０に接続し、ＰＣ１２０とデータの送受信を行う。
【００３４】
＜印刷モード＞
図３は、印刷モードそれぞれの特徴を示す表である。
【００３５】
本実施形態では、印刷モードとして、通常印刷モード、少量印刷速度改善モード（初期生産優先モード）、大量印刷速度改善モード（固定生産モード）を有する。通常印刷モードは、通常の定型用紙に印刷する際に用いられる印刷モードである。少量印刷速度改善モード（初期生産優先モード）、大量印刷速度改善モード（固定生産モード）は、帳票用紙等のように幅狭紙と呼ばれる非定形用紙を印刷する際に用いられる印刷モードであり、印刷時に定着器の端部昇温を抑制するための印刷モードである。
【００３６】
対応紙種は、通常印刷モードでは、Ａ４やＡ３等の様々な定型用紙に対応可能である。一方、少量印刷速度改善モード（初期生産優先モード）や大量印刷速度改善モード（固定生産モード）では、帳票用紙（定着器の幅に対して極端に幅が狭い用紙）に特化している。
【００３７】
印刷速度は、通常印刷モードや少量印刷速度改善モード（初期生産優先モード）では、定着器の温度が上昇するのに応じて印刷速度を減少させる。印刷速度の調整は、プロセス速度を一定にしつつ、紙間を変更することにより実現する。一方、大量印刷速度改善モード（固定生産モード）では、印刷速度を常に一定に保つ。このため、少量印刷速度改善モード（初期生産優先モード）と大量印刷速度改善モード（固定生産モード）を比較すると、次のようになる。すなわち、印刷枚数が少ないうちは少量印刷速度改善モード（初期生産優先モード）の方が相対的に速いが、印刷枚数が多くなると大量印刷速度改善モード（固定生産モード）の方が相対的に速くなる。
【００３８】
通紙部の中心のターゲット温度は、通常印刷モードと比較して、少量印刷速度改善モード（初期生産優先モード）や大量印刷速度改善モード（固定生産モード）の方が低くなる。これは、帳票用紙に印刷する際に、定着器の端部昇温（用紙が通過しない端部の温度が局所的に上昇してしまうこと）により端部昇温（定着器の温度が閾値を超えてしまい印刷が継続できない状態になってしまうこと）が発生するのを防止するためである。同様の理由により、通紙部の中心のターゲット温度は、印刷速度が可変である少量印刷速度改善モード（初期生産優先モード）と比較して、印刷速度が等速である大量印刷速度改善モード（固定生産モード）の方が低くなる。
【００３９】
初期生産は、大量印刷速度改善モード（固定生産モード）よりも少量印刷速度改善モード（初期生産優先モード）の方が高い。なお、通常印刷モードでは、数枚で端部昇温となり印刷がストップしてしまうため、初期生産は極端に低くなる。
【００４０】
大量プリント時のトータル生産性は、少量印刷速度改善モード（初期生産優先モード）よりも大量印刷速度改善モード（固定生産モード）の方が高い。少量印刷速度改善モード（初期生産優先モード）と大量印刷速度改善モード（固定生産モード）では、それらの交点からある程度印刷枚数が進んだ段階（交点の前後で各モードに挟まれる面積が等しくなる時点）で、それらの生産性が逆転することになる。通常印刷モードでは、前述したように数枚で端部昇温となり印刷がストップしてしまうため、大量プリント時のトータル生産性も極端に低くなる。
【００４１】
図４（Ａ）は、各印刷モードで幅狭紙に印刷を行った場合における印刷速度の推移を示す図である。
【００４２】
図中、横軸は印刷枚数を示し、縦軸は印刷速度を示す。
【００４３】
通常モードでは、数枚（図では１０枚）で端部昇温となり、印刷がストップしてしまう。
少量印刷速度改善モード（初期生産優先モード）では、印刷枚数の増加に伴って印刷速度が徐々に遅くなっていく。そして、所定枚数（図では２０枚）までは大量印刷速度改善モード（固定生産モード）より印刷速度が速いが、所定枚数（図では２０枚）を超えると大量印刷速度改善モード（固定生産モード）より印刷速度が遅くなる。
【００４４】
大量印刷速度改善モード（固定生産モード）では、印刷枚数に関わらず印刷速度が一定になる。そして、所定枚数（図では２０枚）までは少量印刷速度改善モード（初期生産優先モード）より印刷速度が遅いが、所定枚数（図では２０枚）を超えると少量印刷速度改善モード（初期生産優先モード）より印刷速度が速くなる。
【００４５】
なお、前述した１０枚や２０枚等の値は一例であり、プリントエンジンの特性や定着器の定着温度の許容範囲等によって変わり得る。
【００４６】
図４（Ｂ）は、各印刷モードで幅狭紙に印刷を行った場合における定着器の端部温度の推移を示す図である。
【００４７】
図中、横軸は印刷枚数を示し、縦軸は定着器の端部温度を示す。
【００４８】
通常モードでは、数枚（図では１０枚）で端部昇温となり、印刷がストップしてしまう。
【００４９】
少量印刷速度改善モード（初期生産優先モード）では、印刷枚数の増加に伴って端部温度が徐々に端部昇温の閾値に近づいていくが、端部温度は端部昇温の閾値には達しない。
【００５０】
大量印刷速度改善モード（固定生産モード）では、印刷枚数に関わらず端部温度が一定になる。ただし、これは固定生産モードと帳票用紙の関係が適切に組み合わされた場合の話であって、その組み合わせによってはグラフが変動することもある。
【００５１】
＜印刷ジョブ＞
図５は、印刷ジョブの内容を示す図である。
【００５２】
印刷データは、ヘッダとボディからなる。
【００５３】
ヘッダには、ページ数と部数が含まれる。
【００５４】
ボディには、ページごとに、用紙サイズと印刷データが含まれる。なお、本実施形態ではページごとに用紙サイズを含めるようにしているが、全ページ同じ用紙サイズであれば、用紙サイズをヘッダに１つ含めるようにしてもよい。また、ページ間でたまに用紙サイズの変更が発生する可能性がある場合には、前のページから用紙サイズに変更があったページに用紙サイズを含めるようにしてもよい。
【００５５】
＜印刷制御＞
図６は、画像形成装置の動作を示すフローチャート（第１の実施形態）である。
【００５６】
このフローチャートに示す動作は、ＣＰＵ１１０がＨＤＤ１１７に記憶されたプログラムをＲＡＭ１１６に読み出して実行することにより実現される。
【００５７】
Ｓ２００において、ＣＰＵ１１０は、ＰＣ１２０から印刷ジョブを入力する。
【００５８】
Ｓ２０１において、ＣＰＵ１１０は、Ｓ２００で受信した印刷ジョブを解析し、印刷ジョブのページ数と、部数と、１ページ目の用紙サイズを取得する。そして、現時点の残ページ数として、取得したページ数をＲＡＭ１１６にセットする。
【００５９】
Ｓ２０２において、ＣＰＵ１１０は、Ｓ２０１で取得したジョブで使用すべき用紙サイズが特殊な幅狭紙であるか否か判断する。Ｓ２０２でＹＥＳの場合、Ｓ２０３に進む。Ｓ２０２でＮＯの場合、Ｓ２０４に進む。
【００６０】
Ｓ２０３において、ＣＰＵ１１０は、ジョブの実行前に、残ページ数が所定値２０以下であるか否か判断する。なお、本実施形態では閾値を２０としたが、閾値は印刷装置の特性や定着ユニットの定着温度の許容範囲等により変更してもよい。Ｓ２０３でＹＥＳの場合、Ｓ２０５に進む。Ｓ２０３でＮＯの場合、Ｓ２０６に進む。
【００６１】
Ｓ２０４において、ＣＰＵ１１０は、通常印刷モードを設定する。
【００６２】
Ｓ２０５において、ＣＰＵ１１０は、初期生産優先モードを設定する。
【００６３】
Ｓ２０６において、ＣＰＵ１１０は、固定生産モードを設定する。
【００６４】
Ｓ２０７において、ＣＰＵ１１０は、Ｓ２００で受信した印刷ジョブの印刷データに基づき、Ｓ２０４〜Ｓ２０６の何れかで設定された印刷モードで、１ページ分の印刷を行う。そして、ＲＡＭ１１６に記憶された残ページ数を−１（デクリメント）することにより、未印刷のページ数を計測する。
【００６５】
Ｓ２０８において、ＣＰＵ１１０は、ＲＡＭ１１６に記憶された残ページ数が０になったか否か確認することにより、全ページの印刷処理が完了したか否か判断する。Ｓ２０８でＹＥＳの場合、処理を終了する。Ｓ２０８でＮＯの場合、Ｓ２０９に進む。
【００６６】
Ｓ２０９において、ＣＰＵ１１０は、Ｓ２００で受信した印刷ジョブを解析し、次のページの用紙サイズを取得する。
【００６７】
Ｓ２１０において、ＣＰＵ１１０は、Ｓ２０９で取得した用紙サイズとその前にＳ２０１又はＳ２０９で取得した前のページの用紙サイズを比較することにより、用紙サイズが変更になったか否か判断する。Ｓ２１０でＹＥＳの場合、Ｓ２１１に進む。Ｓ２１０でＮＯの場合、Ｓ２０７に戻る。
【００６８】
Ｓ２１１において、ＣＰＵ１１０は、Ｓ２０９で取得した用紙サイズが幅狭紙であるか否か判断する。Ｓ２１１でＹＥＳの場合、Ｓ２１３に進む。Ｓ２１１でＮＯの場合、Ｓ２１２に進む。
【００６９】
Ｓ２１２において、ＣＰＵ１１０は、通常印刷モードを設定する。そして、Ｓ２０７に戻る。
【００７０】
Ｓ２１３において、ＣＰＵ１１０は、残ページ数が３以下であるか否か判断する。なお、本実施形態では閾値を３としたが、閾値は印刷装置の特性や定着ユニットの定着温度の許容範囲等により変更してもよい。Ｓ２１３でＹＥＳの場合、Ｓ２０７に戻る。Ｓ２１３でＮＯの場合、Ｓ２１４に進む。
【００７１】
Ｓ２１４において、ＣＰＵ１１０は、残ページ数が１５以下であるか否か判断する。なお、本実施形態では閾値を１５としたが、閾値は印刷装置の特性や定着ユニットの定着温度の許容範囲等により変更してもよい。Ｓ２１４でＹＥＳの場合、Ｓ２１５に進む。Ｓ２１４でＮＯの場合、Ｓ２１５に進む。
【００７２】
Ｓ２１５において、ＣＰＵ１１０は、初期生産優先モードを設定する。そして、Ｓ２０７に戻る。
【００７３】
Ｓ２１６において、ＣＰＵ１１０は、固定生産モードを設定する。そして、Ｓ２０７に戻る。
【００７４】
以上のように、本実施形態では、幅狭紙に印刷を行う際に、印刷ジョブのページ数に応じて、適切な印刷モードを選択して印刷を行う。
【００７５】
具体的には、印刷ジョブのページ数が閾値より小さい場合には、初期生産優先モードで全ページの印刷を行う。一方、印刷ジョブのページ数が閾値より大きい場合には、固定生産モードで全ページの印刷を行う。
【００７６】
図７（Ａ）は、本発明を適用して幅狭紙に印刷を行った場合における印刷速度の推移を示す図（第１の実施形態）である。
【００７７】
本実施形態では、前述したように制御することにより、印刷ジョブのページ数に関わらず、印刷ジョブを通して印刷速度が遅くなり過ぎてしまうのを防止することが可能となる。
【００７８】
図７（Ｂ）は、本発明を適用して幅狭紙に印刷を行った場合における定着器の端部温度の推移を示す図（第１の実施形態）である。
【００７９】
本実施形態では、前述したように制御するため、印刷ジョブのページ数に関わらず、印刷ジョブを通して定着器の端部温度が高くなり過ぎてしまうのを防止することが可能となる。
【００８０】
〔第２の実施形態〕
第２の実施形態において、装置の構成等は、第１の実施形態（図１〜図５）と同様であるため、説明を省略する。
【００８１】
＜印刷制御＞
図８は、画像形成装置の動作を示すフローチャート（第２の実施形態）である。
【００８２】
このフローチャートに示す動作は、ＣＰＵ１１０がＨＤＤ１１７に記憶されたプログラムをＲＡＭ１１６に読み出して実行することにより実現される。
【００８３】
Ｓ３００において、ＣＰＵ１１０は、ＰＣ１２０から印刷ジョブを入力する。
【００８４】
Ｓ３０１において、ＣＰＵ１１０は、Ｓ３００で受信した印刷ジョブを解析し、印刷ジョブのページ数と、部数と、１ページ目の用紙サイズを取得する。そして、現時点の処理済ページ数として、０をＲＡＭ１１６にセットする。
【００８５】
Ｓ３０２において、ＣＰＵ１１０は、Ｓ３０１で取得した用紙サイズが幅狭紙であるか否か判断する。Ｓ３０２でＹＥＳの場合、Ｓ３０３に進む。Ｓ３０２でＮＯの場合、Ｓ３０４に進む。
【００８６】
Ｓ３０４において、ＣＰＵ１１０は、通常印刷モードを設定する。
【００８７】
Ｓ３０５において、ＣＰＵ１１０は、初期生産優先モードを設定する。
【００８８】
Ｓ３０７において、ＣＰＵ１１０は、Ｓ３００で受信した印刷ジョブの印刷データに基づき、Ｓ３０４〜Ｓ３０５の何れかで設定された印刷モードで、１ページ分の印刷を行う。そして、ＲＡＭ１１６に記憶された処理済ページ数を＋１（インクリメント）することにより、印刷済のページ数を計測する。
【００８９】
Ｓ３０８において、ＣＰＵ１１０は、ＲＡＭ１１６に記憶された処理済ページ数がＳ３０１で取得した印刷ジョブのページ数に達したか否か確認することにより、全ページの印刷処理が完了したか否か判断する。Ｓ３０８でＹＥＳの場合、処理を終了する。Ｓ３０８でＮＯの場合、Ｓ３０９に進む。
【００９０】
Ｓ３０９において、ＣＰＵ１１０は、Ｓ３００で受信した印刷ジョブを解析し、次のページの用紙サイズを取得する。
【００９１】
Ｓ３１０において、ＣＰＵ１１０は、Ｓ３０９で取得した用紙サイズとその前にＳ３０１又はＳ３０９で取得した前のページの用紙サイズを比較することにより、用紙サイズが変更になったか否か判断する。Ｓ３１０でＹＥＳの場合、Ｓ３１１に進む。Ｓ３１０でＮＯの場合、Ｓ３２４に進む。
【００９２】
Ｓ３１１において、ＣＰＵ１１０は、Ｓ３０９で取得した用紙サイズが幅狭紙であるか否か判断する。Ｓ３１１でＹＥＳの場合、Ｓ３１４に進む。Ｓ３１１でＮＯの場合、Ｓ３１２に進む。
【００９３】
Ｓ３１２において、ＣＰＵ１１０は、通常印刷モードを設定する。そして、Ｓ３０７に戻る。
【００９４】
Ｓ３１４において、ＣＰＵ１１０は、処理済ページ数が２０以下であるか否か判断する。なお、本実施形態では閾値を２０としたが、閾値は印刷装置の特性や定着ユニットの定着温度の許容範囲等により変更してもよい。Ｓ３１４でＹＥＳの場合、Ｓ３１６に進む。Ｓ３１４でＮＯの場合、Ｓ３１５に進む。
【００９５】
Ｓ３１５において、ＣＰＵ１１０は、初期生産優先モードを設定する。そして、Ｓ３０７に戻る。
【００９６】
Ｓ３１６において、ＣＰＵ１１０は、固定生産モードを設定する。そして、Ｓ３０７に戻る。
【００９７】
Ｓ３２４において、ＣＰＵ１１０は、ジョブの実行中に、処理済ページ数が２０以下であるか否か判断する。なお、本実施形態では閾値を２０としたが、閾値は印刷装置の特性や定着ユニットの定着温度の許容範囲等により変更してもよい。Ｓ３２４でＹＥＳの場合、Ｓ３１６に進む。Ｓ３２４でＮＯの場合、Ｓ３０７に戻る。
【００９８】
以上のように、本実施形態では、幅狭紙に印刷を行う際に、印刷ジョブのページ数に関わらず、印刷モードを適切に切り換えて印刷を行う。
【００９９】
具体的には、印刷済のページ数が閾値に達するまで、初期生産優先モードで印刷を行う。一方、印刷済のページ数が閾値に達したら、固定生産モードに切り替えて印刷を行う。
【０１００】
図９（Ａ）は、本発明を適用して幅狭紙に印刷を行った場合における印刷速度の推移を示す図（第２の実施形態）である。
【０１０１】
本実施形態では、前述したように制御することにより、印刷ジョブのページ数に関わらず、印刷ジョブを通して印刷速度が遅くなり過ぎてしまうのを防止することが可能となる。
【０１０２】
図９（Ｂ）は、本発明を適用して幅狭紙に印刷を行った場合における定着器の端部温度の推移を示す図（第２の実施形態）である。
【０１０３】
本実施形態では、前述したように制御するため、印刷ジョブのページ数に関わらず、印刷ジョブを通して定着器の端部温度が高くなり過ぎてしまうのを防止することが可能となる。
【０１０４】
〔他の実施形態〕
本発明は、以下の処理を実行することによっても実現される。
【０１０５】
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015230470.tif 000003
【図２】
2015230470.tif 000004
【図３】
2015230470.tif 000005
【図４】
2015230470.tif 000006
【図５】
2015230470.tif 000007
【図６】
2015230470.tif 000008
【図７】
2015230470.tif 000009
【図８】
2015230470.tif 000010
【図９】
2015230470.tif 000011